(57)【要約】【課題】ユーザの嗜好に合わせてクリッピング及び圧縮の調整を容易に行うことができる色変換テーブル作成プログラムを提供する。【解決手段】第１のカラーデバイスの色再現域である第１の色域内の色を第２のカラーデバイスの色再現域である第２の色域内にマッピングするための色変換テーブルを作成する色変換テーブル作成プログラムにおいて、第１の色域の情報及び第２の色域の情報を読み込む色域情報読込ステップと、色域内の色変換量を入力する色変換量入力ステップと、読み込んだ第１の色域の情報及び第２の色域の情報に基づいてマッピングする際に、入力された色変換量に応じてクリッピングによるマッピングと圧縮によるマッピングとの混合割合を変化させてマッピングするマッピングステップと、をコンピュータに実行させる。【選択図】図５
2008118335.tif 000002
【特許請求の範囲】
【請求項１】
第１のカラーデバイスの色再現域である第１の色域内の色を第２のカラーデバイスの色再現域である第２の色域内にマッピングするための色変換テーブルを作成する色変換テーブル作成プログラムにおいて、
第１の色域の情報及び第２の色域の情報を読み込む色域情報読込ステップと、
色域内の色変換量を入力する色変換量入力ステップと、
読み込んだ第１の色域の情報及び第２の色域の情報に基づいてマッピングする際に、入力された前記色変換量に応じてクリッピングによるマッピングと圧縮によるマッピングとの混合割合を変化させてマッピングするマッピングステップと、
をコンピュータに実行させることを特徴とする色変換テーブル作成プログラム。
【請求項２】
前記マッピングステップは、前記第１の色域の情報と前記第２の色域の情報とに基づいて前記第１の色域と前記第２の色域との色相方向の重なりを示した第３の色域を算出し、当該第３の色域と前記色変換量とに基づいてマッピングを行うことを特徴とする請求項１に記載の色変換テーブル作成プログラム。
【請求項３】
前記マッピングステップは、
前記第３の色域の情報及び前記色変換量に基づいて、前記第１の色域内の色が前記第２の色域内の同じ位置にマッピングされる色域である第４の色域を算出し、マッピングの対象となる前記第１の色域内の注目色が第４の色域内に存在するか否かを判断し、注目色が第４の色域内に存在すると判断すると前記第２の色域内の同じ位置に注目色をマッピングし、注目色が第４の色域内に存在しないと判断すると前記第２の色域内であって第４の色域外の領域に注目色をマッピングすることを特徴とする請求項２に記載の色変換テーブル作成プログラム。
【請求項４】
前記マッピングステップは、
前記第１の色域の情報、前記第２の色域の情報及び前記色変換量に基づいて、前記第１の色域内の色が前記第２の色域内の同じ位置にマッピングされる色域である第４の色域を算出し、マッピングの対象となる前記第１の色域内の注目色が第４の色域内に存在するか否かを判断し、注目色が第４の色域内に存在すると判断すると前記第２の色域内の同じ位置に注目色をマッピングし、注目色が第４の色域内に存在しないと判断すると前記第２の色域内であって第４の色域外の領域に注目色をマッピングすることを特徴とする請求項１に記載の色変換テーブル作成プログラム。
【請求項５】
第１のカラーデバイスの色再現域である第１の色域内の色を第２のカラーデバイスの色再現域である第２の色域内にマッピングするための色変換テーブルを作成する色変換テーブル作成装置において、
第１の色域の情報及び第２の色域の情報を読み込む色域情報読込手段と、
色域内の色変換量を入力する色変換量入力手段と、
読み込んだ第１の色域の情報及び第２の色域の情報に基づいてマッピングする際に、入力された色変換量に応じてクリッピングによるマッピングと圧縮によるマッピングとの混合割合を変化させてマッピングするマッピング手段と、
を有することを特徴とする色変換テーブル作成装置。
【請求項６】
前記色変換量入力手段は、ユーザインターフェースであることを特徴とする請求項５に記載の色変換テーブル作成装置。
【請求項７】
請求項５又は６の何れか一項に記載の色変換テーブル作成装置と、
前記第１のカラーデバイスと、
前記第２のカラーデバイスと、
から構成されることを特徴とする色変換テーブル作成システム。
【発明の詳細な説明】
【技術分野】
【０００１】
本発明は、色変換テーブル作成プログラム、色変換テーブル作成装置及び色変換テーブル作成システムに関する。
【背景技術】
【０００２】
近年、印刷業界においては、デジタルカメラの普及、グラフィックアプリケーションの高機能化、ＰＣの高性能化等に伴い、ＲＧＢデータによる入稿が増加している。このため、例えば、入稿されてきたＲＧＢデータをディスプレイで表示した画像と、当該ＲＧＢデータをＣＭＹＫデータに変換してプリンタ等で出力した画像との色合わせを行う必要がある。
【０００３】
一般に、プリンタ等のＣＭＹＫの色域はディスプレイ等のＲＧＢの色域よりも狭く、ＲＧＢの原色に近い鮮やかな色をＣＭＹＫで再現することは不可能である。このため、ＣＭＹＫの色域外に存在するＲＧＢの色をＣＭＹＫの色域内にマッピングするガマットマッピングを行う必要がある。ガマットマッピングの手法には、ＣＭＹＫの色域外に存在するＲＧＢの色のみをＣＭＹＫの色域の境界部にマッピングするクリッピングと、ＲＧＢの色域全体の色をＣＭＹＫの色域内にマッピングする圧縮とがある。
【０００４】
特許文献１には、極座標系色空間の半径方向を等間隔に分割し、各区間に存在する入力画像の色数を計数してヒストグラムを作成し、そのヒストグラム形状からクリッピングを用いるか圧縮を用いるかを選択することが記載されている。
【特許文献１】特開２００２−２７２６３号公報
【発明の開示】
【発明が解決しようとする課題】
【０００５】
しかしながら、特許文献１のようにクリッピングあるいは圧縮を自動的に選択することが必ずしも最適であるとは限らず、ユーザの嗜好に合わない場合もある。また、特許文献１においては、ユーザの嗜好に合わない場合に、クリッピング及び圧縮の調整を行うことができない。
【０００６】
本発明は、以上のような問題に鑑みてなされたものであり、ユーザの嗜好に合わせてクリッピング及び圧縮の調整を容易に行うことができる色変換テーブル作成プログラム、色変換テーブル作成装置及び色変換テーブル作成システムを提供することを目的としている。
【課題を解決するための手段】
【０００７】
本発明の色変換テーブル作成プログラムは、第１のカラーデバイスの色再現域である第１の色域内の色を第２のカラーデバイスの色再現域である第２の色域内にマッピングするための色変換テーブルを作成する色変換テーブル作成プログラムにおいて、第１の色域の情報及び第２の色域の情報を読み込む色域情報読込ステップと、色域内の色変換量を入力する色変換量入力ステップと、読み込んだ第１の色域の情報及び第２の色域の情報に基づいてマッピングする際に、入力された前記色変換量に応じてクリッピングによるマッピングと圧縮によるマッピングとの混合割合を変化させてマッピングするマッピングステップと、をコンピュータに実行させることを特徴としている。
【０００８】
本発明の色変換テーブル作成装置は、第１のカラーデバイスの色再現域である第１の色域内の色を第２のカラーデバイスの色再現域である第２の色域内にマッピングするための色変換テーブルを作成する色変換テーブル作成装置において、第１の色域の情報及び第２の色域の情報を読み込む色域情報読込手段と、色域内の色変換量を入力する色変換量入力手段と、読み込んだ第１の色域の情報及び第２の色域の情報に基づいてマッピングする際に、入力された色変換量に応じてクリッピングによるマッピングと圧縮によるマッピングとの混合割合を変化させてマッピングするマッピング手段と、を有することを特徴としている。
【０００９】
本発明の色変換テーブル作成システムは、上記本発明の色変換テーブル作成装置と、前記第１のカラーデバイスと、前記第２のカラーデバイスと、から構成されることを特徴としている。
【発明の効果】
【００１０】
本発明によれば、ユーザによる色変換量の入力に基づいてクリッピングと圧縮との混合割合を容易に変化させることができるので、ユーザの嗜好に合わせた色合わせを容易に行うことができる。
【発明を実施するための最良の形態】
【００１１】
以下、図面に基づいて本実施形態について説明するが、一例であり、本実施形態に限定するものではない。
【００１２】
（システム構成）
図１は、本実施形態に係る色変換テーブル作成システムの構成図である。色変換テーブル作成システム１は、色変換テーブル作成装置としてのパーソナルコンピュータ（ＰＣ）１０及びプリンタ２０から構成されている。ＰＣ１０は、ＣＰＵ１１を中心に、バス１２により、ＲＯＭ１３、ＲＡＭ１４、ＨＤＤ１５、キーボードやマウス等のユーザインターフェースから構成される入力部１６、液晶やＣＲＴ等のディスプレイから構成される表示部１７、通信部１８、等が相互に接続されている。
【００１３】
ＨＤＤ１５には、画像データを作成するアプリケーションプログラム、表示部１７のプロファイル、プリンタ２０のプロファイル、表示部１７のプロファイル及びプリンタ２０のプロファイルに基づいて表示部−プリンタ間の色変換テーブルを作成する色変換テーブル作成プログラム、色変換テーブル作成プログラムにより作成された色変換テーブル、等がインストールされ記憶されている。
【００１４】
アプリケーションプログラムを用いて作成された画像データは、色変換テーブル作成プログラムにより作成された色変換テーブルに基づいて、ＲＧＢ値からＣＭＹＫ値に色変換された後、通信部１８を介してプリンタ２０に出力される。
【００１５】
（ガマットマッピングの概要）
図２〜図４は、本実施形態に係るガマットマッピングの概要を示す模式図である。
【００１６】
図２（ａ）は、Ｌ*ａ*ｂ*色空間におけるあるａ*ｂ*平面での表示部１７の色域Ｓ（本発明の第１の色域に相当）及びプリンタ２０の色域Ｄ（本発明の第２の色域に相当）の一例を示している。図２においては、各色域は、Ｒ、Ｙ、Ｇ、Ｃ、Ｂ、Ｍの６つの頂点を結んだ領域で表されている。色域Ｓの各頂点の色（Ｓｒ、Ｓｙ、Ｓｇ、Ｓｃ、Ｓｂ、Ｓｍ）は、矢印で示すように、色域Ｓの各頂点を色域Ｄの対応する頂点（Ｄｒ、Ｄｙ、Ｄｇ、Ｄｃ、Ｄｂ、Ｄｍ）に合わせるようにマッピングする。例えば、Ｓｇの色は、Ｄｇにマッピングされる。これにより、色域Ｓの最外郭に位置する色は、色域Ｄの最外郭にマッピングされる。
【００１７】
一方、色域Ｓの内部に位置する色は、入力部１６から入力された色変換量に基づいてクリッピングと圧縮との混合割合を変化させるため、色変換量によりマッピングされる位置が異なる。例えば、色変換量が０であればクリッピングによるマッピング、色変換量が１００であれば圧縮によるマッピング、色変換量が０〜１００の間であればクリッピングと圧縮とが混合されたマッピングが行われる。
【００１８】
図２（ｂ）は、色変換量に基づくマッピングを行う際に基準となる色域Ｇ（本発明の第３の色域に相当）を示している。色域Ｇは、色域Ｓと色域Ｄとの色相方向の重なりを示す領域であり、図に示すように、ａ*ｂ*平面の原点Ｏから色域Ｓの各頂点への線分と、色域Ｄの最外郭の線分との各交点（Ｇｒ−Ｇｙ−Ｇｇ−Ｇｃ−Ｇｂ−Ｇｍ−Ｇｒ）を結ぶことにより形成される色域である。Ｓｃは色域Ｄ内に存在するので、ＳｃをＧｃとする。この基準となる色域Ｇは、色変換量が０の場合に対応するものである。
【００１９】
色域Ｇは次のような意味をもつ領域である。色域Ｓ内の色を色域Ｄ内にマッピングする際に、対象となる注目色が色域Ｇ内にあればそのまま同じ位置にマッピングする。また、対象となる注目色が色域Ｇ外の色であれば、その注目色は色域Ｇ内にはマッピングせず、色域Ｇ外の色域Ｄ内にマッピングする。
【００２０】
図２（ｃ）は、色変換量が０より大きい場合における色域Ｇに対応する領域を色域Ｇ’（本発明の第４の色域に相当）として示している。色域Ｇ’は、色変換量の値の大きさに基づいて色域Ｇを相似的に小さくした領域である。色変換量が大きいほど色域Ｇ’の領域は小さくなり、色変換量が１００で色域Ｇ’は消滅する。色域Ｇと同様に、色域Ｓ内の色を色域Ｄ内にマッピングする際に、対象となる注目色が色域Ｇ’内にあればそのまま同じ位置にマッピングする。また、対象となる注目色が色域Ｇ’外の色であれば、その注目色は色域Ｇ’内にはマッピングせず、色域Ｇ’外の色域Ｄ内にマッピングする。
【００２１】
図３（ａ）は、色変換量が０より大きい値に設定され、図２（ｃ）に示すように色域Ｇ’が設定された場合におけるマッピング前の状態を示している。図３（ｂ）は、マッピング後の状態を示している。以下では、理解しやすいように、色域Ｓにおける原点Ｏ、頂点Ｓｙ及び頂点Ｓｇにより形成される三角形（△ＯＳｙＳｇ）の領域に着目し、当該領域がどのように色域Ｄ内にマッピングされるのかを説明する。
【００２２】
図３（ａ）に示すように、△ＯＳｙＳｇの領域のうち△ＯＧ’ｙＧ’ｇの領域（斜線掛け部分）は、領域Ｇ’内に存在している。このため、上述したように、△ＯＧ’ｙＧ’ｇの領域に存在する色は、図３（ｂ）に示すように、△ＯＧ’ｙＧ’ｇの領域（斜線掛け部分）内の同じ位置にそのままマッピングする。
【００２３】
一方、図３（ａ）に示すように、△ＯＳｙＳｇの領域のうち四角形□Ｇ’ｙＳｙＳｇＧ’ｇの領域（網掛け部分）は、領域Ｇ’外に存在している。□Ｇ’ｙＳｙＳｇＧ’ｇの領域に存在する色については、図３（ｂ）に示すように、□Ｇ’ｙＤｙＤｇＧ’ｇの領域（網掛け部分）にマッピングする。例えば、注目色Ｎｉと各頂点Ｇ’ｙ、Ｄｙ、Ｄｇ、Ｇ’ｇとを結ぶことによって分割される三角形の面積比（△ＮｉＧ’ｙＳｙ：△ＮｉＳｙＳｇ：△ＮｉＳｇＧ’ｇ：△ＮｉＧ’ｇＧ’ｙ）と、ターゲット色Ｔｉと各頂点Ｇ’ｙ、Ｄｙ、Ｄｇ、Ｇ’ｇとを結ぶことによって分割される三角形の面積比（△ＴｉＧ’ｙＤｙ：△ＴｉＤｙＤｇ：△ＴｉＤｇＧ’ｇ：△ＴｉＧ’ｇＧ’ｙ）とが同じ面積比になるような位置にターゲット色Ｔｉを位置させる。
【００２４】
上記では、色域Ｓにおける△ＯＳｙＳｇ領域のみについて説明したが、他の領域も同様のマッピングを行う。色域全体におけるマッピング前後の状態をそれぞれ図４（ａ）及び図４（ｂ）に示す。図４（ａ）の斜線部分は同じ領域である図４（ｂ）の斜線部分にマッピングされ、図４（ａ）のそれぞれの網掛け部分は図４（ｂ）のそれぞれの網掛け部分にマッピングされる。そして、色域Ｓの全ての色は、色域Ｄ内に収まるようにマッピングされることになる。尚、Ｌ*の異なるａ*ｂ*平面についても同様にしてマッピングを行う。
【００２５】
以上のように、色域Ｓ内の色を色域Ｄの領域にマッピングする際に、入力部１６から入力された色変換量に基づいて色域Ｇ’の領域を変化させることにより、クリッピングと圧縮との混合割合を容易に変化させることができる。これにより、ユーザの嗜好に合わせた色合わせを容易に行うことができる。
【００２６】
（色変換テーブル作成処理）
図５は、本実施形態に係る色変換テーブル作成処理のフロー図である。ＰＣ１０のＣＰＵ１１がＨＤＤ１５に記憶されている色変換テーブル作成プログラムに基づいてＲＡＭ１４上で処理を実行することにより、本処理が行われる。
【００２７】
まず、ＣＰＵ１１は、例えば、図６に示すような色変換テーブル作成画面を表示部１７に表示させる（ステップＳ１）。
【００２８】
色変換テーブル作成画面は、「プロファイルの選択」、「色域内の色変換量」及び「プロファイル計算の実行」の部分から構成され、ユーザにこれらの入力を行わせるためのものである。「プロファイルの選択」の部分は、「ソースプロファイル（ＲＧＢ）」及び「デスティネーションプロファイル（ＣＭＹＫ）」のパスをユーザに指定させることによりプロファイルの選択入力を行う。「色域内の色変換量」の部分は、画面上に表示されているスライドバーをユーザにスライドさせることにより色変換量の入力を行う。「プロファイル計算の実行」の部分は、「プロファイル計算の実行」ボタンをユーザにクリックさせることにより色変換テーブル作成の実行指示の入力を行う。
【００２９】
表示部１７に表示された色変換テーブルの作成画面に対してユーザが入力部１６から入力を行うことにより、ＣＰＵ１１は、色域情報読込手段として機能し、「ソースプロファイル（ＲＧＢ）」の読み込み（ステップＳ２）、「デスティネーションプロファイル（ＣＭＹＫ）」の読み込み（ステップＳ３）を行う。ステップＳ２及びＳ３は、本発明の色域情報読込ステップに相当する。また、ＣＰＵ１１に「色域内の色変換量」が入力（ステップＳ４）される。ステップＳ４は、本発明の色変換量入力ステップに相当する。入力部１６は、本発明の色変換量入力手段に相当する。本実施形態では、「ソースプロファイル（ＲＧＢ）」として表示部１７のプロファイルが、「デスティネーションプロファイル（ＣＭＹＫ）」としてプリンタ２０のプロファイルがＨＤＤ１５から読み込まれる。「色域内の色変換量」としては、０〜１００のうち何れかの値が入力される。図６においては、色変換量は５０となっている。
【００３０】
次に、ＣＰＵ１１は、読み込まれた表示部１７のプロファイルに基づいてＬ*ａ*ｂ*色空間上における色域Ｓを算出し、プリンタ２０のプロファイルに基づいてＬ*ａ*ｂ*色空間上における色域Ｄを算出する。その後、入力された色変換量に基づいて、色域Ｇ’を算出する（ステップＳ５）。
【００３１】
次に、ＣＰＵ１１は、色域Ｓ内の注目色Ｎｉが色域Ｇ’内に存在するか否かを判断する（ステップＳ６）。
【００３２】
注目色Ｎｉが色域Ｇ’内に存在すると判断すると（ステップＳ６；Ｙｅｓ）、ＣＰＵ１１は、ターゲット色ＴｉのＬ*ａ*ｂ*値を注目色と同じＬ*ａ*ｂ*値に設定する（ステップＳ７）。
【００３３】
注目色Ｎｉが色域Ｇ’内に存在しないと判断すると（ステップＳ６；Ｎｏ）、ＣＰＵ１１は、色域Ｇ’を除く色域Ｓ内での注目色Ｎｉの位置関係と色域Ｇ’を除く色域Ｄ内でのターゲット色Ｔｉの位置関係とが同じになるように、ターゲット色ＴｉのＬ*ａ*ｂ*値を設定する（ステップＳ８）。位置関係は、例えば、図３の説明の際に述べた面積比により表される。ステップＳ５〜Ｓ８は、本発明のマッピングステップに相当する。また、ステップＳ５〜Ｓ８において、ＣＰＵ１１はマッピング手段として機能する。
【００３４】
次に、ＣＰＵ１１は、ターゲット色ＴｉのＬ*ａ*ｂ*値及びプリンタ２０のプロファイルからプリンタ２０でのターゲット色Ｔｉの色を算出する（ステップＳ９）。これにより、表示部１７の注目色ＮｉにおけるＲＧＢ値に対してプリンタのＣＭＹＫ値を対応付けることが可能となる。
【００３５】
次に、ＣＰＵ１１は、全ての注目色の処理が終了したか否かを判断する（ステップＳ１０）。
【００３６】
全ての注目色の処理が終了したと判断すると（ステップＳ１０；Ｙｅｓ）、ＣＰＵ１１は、表示部１７のＲＧＢ値とプリンタ２０のＣＭＹＫ値とを対応付けした色変換テーブルをＨＤＤ１５に記憶させ保存し（ステップＳ１１）、フローを終了する。
【００３７】
全ての注目色の処理が終了していないと判断すると（ステップＳ１０；Ｎｏ）、ＣＰＵ１１は、注目色Ｎｉを次の注目色に切り替え（ステップＳ１２）、ステップＳ６に戻る。
【００３８】
このようにして当該色変換テーブル作成処理で作成されＨＤＤ１５に保存された色変換テーブルは、画像データをプリンタ２０に出力する際に用いられる。もし、プリンタ２０によりプリントされたプリント物の色がユーザの嗜好に合っていないような場合には、ユーザは、再度色変換テーブル作成プログラムを起動して色変換量の調整を行い、新たな色変換テーブルを作成する。そして、ユーザは、この新たな色変換テーブルを用いて画像データのプリントを行い、嗜好に合っているかを確認する。
【００３９】
以上説明したように、本実施形態によれば、色域Ｓ内の色を色域Ｄの領域にマッピングする際に、入力部１６から入力された色変換量に基づいて色域Ｇ’の領域を変化させることにより、クリッピングと圧縮との混合割合を容易に変化させることができる。これにより、ユーザの嗜好に合わせた色合わせを容易に行うことができる。
【００４０】
また、本実施形態のように、表示部１７のＲＧＢ値とプリンタ２０のＣＭＹＫ値とを直接対応付けた色変換テーブルを保存しておくと、色変換の際に当該色変換テーブルをそのまま用いるのみよいので、特許文献１の方法のように入力画像データの色分布の解析しながら逐次色変換を行う場合と比べて高速に処理を行うことができる。
【００４１】
本実施形態では、色空間としてＬ*ａ*ｂ*表色系を用いたが、デバイスに依存しない色空間（デバイスインディペンデント色空間）であればよく、Ｌ*ｕ*ｖ*表色系、マンセル表色系等の色空間を用いることもできる。尚、Ｌ*ａ*ｂ*、Ｌ*ｕ*ｖ*、マンセル表色系等の均等色空間を用いた方が色の変動量が人間の感覚に近いため、より自然な色変換を実現できる。
【００４２】
本実施形態では、色変換における入力側のデバイスとして表示部１７、出力側のデバイスとしてプリンタ２０を用いた場合について説明したが、これに限られるものではない。入力側のデバイスとしては、他にデジタルカメラ、スキャナ、等を用いることができる。出力側のデバイスとしては、他に印刷機、ＤＤＣＰ（Ｄｉｒｅｃｔ  Ｄｉｇｉｔａｌ  Ｃｏｌｏｒ  Ｐｒｏｏｆｉｎｇ）、等を用いることができる。
【図面の簡単な説明】
【００４３】
【図１】本実施形態に係る色変換テーブル作成システムの構成図である。
【図２】本実施形態に係るガマットマッピングの概要を示す模式図である。図２（ａ）は、Ｌ*ａ*ｂ*色空間におけるあるａ*ｂ*平面での表示部１７の色域Ｓ及びプリンタ２０の色域Ｄの一例を示している。図２（ｂ）は、色変換量に基づくマッピングを行う際に基準となる色域Ｇを示している。図２（ｃ）は、色変換量が０より大きい場合における色域Ｇに対応する領域を色域Ｇ’として示している。
【図３】本実施形態に係るガマットマッピングの概要を示す模式図である。図３（ａ）は、色変換量が０より大きい値に設定され、図２（ｃ）に示すように色域Ｇ’が設定された場合におけるマッピング前の状態を示している。図３（ｂ）は、マッピング後の状態を示している。
【図４】本実施形態に係るガマットマッピングの概要を示す模式図である。図４（ａ）は、色域全体におけるマッピング前の状態を示している。図４（ｂ）は、色域全体におけるマッピング後の状態を示している。
【図５】本実施形態に係る色変換テーブル作成処理のフロー図である。
【図６】本実施形態に係る色変換テーブル作成画面の一例である。
【符号の説明】
【００４４】
１  色変換テーブル作成システム
１０  パーソナルコンピュータ（色変換テーブル作成装置）
１１  ＣＰＵ
１５  ＨＤＤ
１６  入力部
１７  表示部
２０  プリンタ
【図１】
2008118335.tif 000003
【図２】
2008118335.tif 000004
【図３】
2008118335.tif 000005
【図４】
2008118335.tif 000006
【図５】
2008118335.tif 000007
【図６】
2008118335.tif 000008